(57)【要約】    【課題】ＲＦＩＤインレットのアンテナを介してＩＣチップに情報を書き込む際は従来の通信性能をもち、かつ、情報を書き込んだあとは小形の記録担体本体が得られる情報記録担体および情報記録担体の作成方法を提供する。【解決手段】上紙と裏紙との間にＩＣチップ４およびアンテナ５が備えられたＲＦＩＤインレット６を内蔵し、上紙および裏紙を貼り合せて形成される記録担体本体３と、記録担体本体３の上紙から裏紙に達するまで穿設されたミシン目１１と、ミシン目１１により囲繞されて区画・形成された表示部１２と、を備える。【選択図】        図１
2008003154.tif 000002
【特許請求の範囲】
【請求項１】
上紙と裏紙との間にＩＣチップおよびアンテナが備えられたＲＦＩＤインレットを内蔵し、前記上紙および裏紙を貼り合せて形成される記録担体本体と、
前記記録担体本体の上紙から裏紙に達するまで穿設されたミシン目と、
前記ミシン目により囲繞されて区画・形成された表示部と、を備えたことを特徴とする情報記録担体。
【請求項２】
前記ミシン目は、前記アンテナの太さ方向の一部を残した状態で形成されることを特徴とする請求項１記載の情報記録担体。
【請求項３】
前記ミシン目は、前記アンテナを避けて形成されることを特徴とする請求項１記載の情報記録担体。
【請求項４】
上紙と裏紙との間にＩＣチップおよびアンテナが備えられたＲＦＩＤインレットを内蔵し、前記上紙および裏紙を貼り合せて形成される記録担体本体と、
前記記録担体本体に、前記上紙から裏紙に達するまで穿設したカット部、および前記アンテナの太さ方向の一部、または全部を残すべく前記カット部に連続して設けられた非カット部により形成されたミシン目によって区画・形成された表示部と、を備えた情報記録担体の作成方法であって、
前記アンテナを介してＲＦＩＤインレットのＩＣチップに所望情報を書き込むとともに、前記表示部に所望情報を印字したのち、前記ミシン目に沿って表示部を切り離すことを特徴とする情報記録担体の作成方法。
【発明の詳細な説明】
【技術分野】
【０００１】
本発明は、特に、ＲＦＩＤインレットが内蔵されたラベルやタグなどの情報記録担体および情報記録担体の作成方法に関する。
【背景技術】
【０００２】
従来、内蔵されたＲＦＩＤ（Ｒａｄｉｏ  Ｆｒｅｑｕｅｎｃｙ−Ｉｄｅｎｔｉｆｉｃａｔｉｏｎ）に各種情報を記憶させ、この各種情報を用いて各種の管理が行われている。
例えば、宝石や貴金属などの一品一様の特徴をもつ商品に対し、外部との間で通信を行うためのアンテナと、このアンテナと接続された送受信器と、商品管理データを記憶する記憶部（メモリ）と、外部から書き込み指令を受信して記憶部に商品管理データの書き込みを行うとともに外部から読み取り指令を受信したときに記憶部に記憶された商品管理データを外部に送信する処理を行う処理部（ＣＰＵ）などから構成される、いわゆる、ＲＦＩＤが内蔵されたＩＤタグを取り付け、販売時、商品（宝石）に取り付けられた情報記録担体としての前記ＩＤタグからリーダライタにて商品管理データを読み取り、またショーケース内に残っている宝石（在庫商品）に取り付けられたＩＤタグからリーダライタにて商品管理データを読み取り、売れ筋商品を販売分析するようなことが行われている（例えば、特許文献１参照）。
ところで、「情報記録担体」としての前記ＩＤタグは管理する商品の大きさに見合うサイズ（大きさ）が求められている。特に、宝石などの小さな商品に、商品である宝石より大きなＩＤタグを取り付けると商品が貧弱に見えて高級感が損なわれ、見栄えが悪くなるという問題があった。このため特に、宝石や貴金属などにおいては、商品である宝石等を際立たせるために小形のＩＤタグ（情報記録担体）が望まれた。
しかしながら、ＲＦＩＤ内蔵のＩＤタグ（情報記録担体）を作成する際は、アンテナを介して記憶部（ＩＣチップなどのメモリ）に情報を書き込むため、通常の通信性能を備えるアンテナが収納できる程度の大きさを必要とするとともに、隣接する情報記録担体同士は、ある程度の距離を必要とした。
従来の「情報記録担体」を、図５および図６のＲＦＩＤラベル連続体５０を例として説明する。図５は、ＲＦＩＤラベル連続体５０の平面説明図であり、図６は、図５中、矢示ＶＩ方向から見た概略側面説明図である。同図に示すように、ＲＦＩＤラベル連続体５０は、台紙２にラベル本体３がほぼ等間隔に区画・形成され仮着された長尺状を呈しており、各ラベル本体３には、ＩＣチップ４およびアンテナ５を備えたＲＦＩＤインレット６が内蔵されており、このＲＦＩＤインレット６は、上紙７と前記台紙２との間に挟んで粘着剤８により貼り合せて構成してあり、かつ、台紙２を剥がすと上紙７、ならびに前記ＩＣチップ４およびアンテナ５を備えたＲＦＩＤインレット６により構成されるラベル本体３が一体的に台紙２より剥離されるとともに、前記粘着剤８を介して図示省略の商品に対し貼付して表示できるようになっている。
この「情報記録媒体」としてのＲＦＩＤラベル連続体５０を使って前記各種情報を記憶させるとともに上紙７に所望の情報を書き込み、商品に表示するラベル本体３を作成するプリンタがある（例えば、特許文献２参照）。
このプリンタによれば、使用されるラベルの大きさや幅、形状等が同一ではなく、ＲＦＩＤインレットの配置が、ＲＦＩＤリーダライタのアンテナの位置によって決定されてしまうので、ＲＦＩＤインレットの配置位置はＲＦＩＤリーダライタのアンテナの送受信できる、ある決められた範囲内に限られるという問題があり、また、ラベルサイズを小さくすると、帯状に形成された台紙に多数のラベルが一定の間隔で仮着されて構成される用紙（ラベル連続体）において、隣接するラベル同士の間隔が狭くなり、アンテナに対する動作範囲に複数のラベルが入ることとなり、リーダライタからアンテナを介して送信される信号に対して目的とするラベルの前後のラベルも応答し、データの書き込みができなくなる場合があるという問題があったので、前記諸問題に対応するため、ラベルの形状や大きさに拘わらず、所望のラベルのＩＣチップとだけ通信を行うことができるようにしたものである。
しかしながら、この特許文献２のプリンタによると、ＲＦＩＤリーダライタのアンテナ（第２のアンテナ）から送信される電波の出力値を変更する出力値変更手段を設け、ラベルの種別に応じて電波の出力値を変更し、さらに、第２のアンテナを幅方向に移動させるアンテナ移動手段を備え、ラベルの種別に応じて第２のアンテナを幅方向に移動させ、第２のアンテナがラベルのＲＦＩＤインレットを構成する第１のアンテナの直下に移動させるようにするなど構成が複雑になり、装置（プリンタ）そのものが高価になるという問題があった。
【特許文献１】特開平１０―３３４１５７号公報
【特許文献２】特開２００６−１８４５６号公報
【発明の開示】
【発明が解決しようとする課題】
【０００３】
本発明は、上記の問題点に着目してなされたものであり、ＲＦＩＤインレットのアンテナを介してＩＣチップに情報を書き込む際は従来の通信性能をもち、かつ、情報を書き込んだあとは小形の記録担体本体が得られる情報記録担体および情報記録担体の作成方法を提供することを課題とする。
【課題を解決するための手段】
【０００４】
本発明の第１の発明に係る情報記録担体は、上紙と裏紙との間にＩＣチップおよびアンテナが備えられたＲＦＩＤインレットを内蔵し、前記上紙および裏紙を貼り合せて形成される記録担体本体と、前記記録担体本体の上紙から裏紙に達するまで穿設されたミシン目と、前記ミシン目により囲繞されて区画・形成された表示部と、を備えたことを特徴とする。
また、ミシン目は、アンテナの太さ方向の一部を残した状態で形成できる。
また、ミシン目は、アンテナを避けて形成できる。
さらに、第２の発明に係る情報記録担体の作成方法は、上紙と裏紙との間にＩＣチップおよびアンテナが備えられたＲＦＩＤインレットを内蔵し、前記上紙および裏紙を貼り合せて形成される記録担体本体と、前記記録担体本体に、前記上紙から裏紙に達するまで穿設したカット部、および前記アンテナの太さ方向の一部、または全部を残すべく前記カット部に連続して設けられた非カット部により形成されたミシン目によって区画・形成された表示部と、を備えた情報記録担体の作成方法であって、前記アンテナを介してＲＦＩＤインレットのＩＣチップに所望情報を書き込むとともに、前記表示部に所望情報を印字したのち、前記ミシン目に沿って表示部を切り離すことを特徴とする。
【発明の効果】
【０００５】
第１の発明に係る情報記録担体は、ＩＣチップおよびアンテナが備えられたＲＦＩＤインレットを内蔵した記録担体本体に、上紙から裏紙に達するまで穿設されたミシン目を備え、かつ、ミシン目により区画・形成された表示部を備えるようにしたので、ＩＣチップおよびアンテナが備えられたＲＦＩＤインレットを内蔵した記録担体本体を実現した上で、記録担体本体よりも小さいサイズのアンテナを有する表示部を形成することができるという効果がある。
また、ミシン目を、アンテナの太さ方向の一部を残した状態で形成すれば、アンテナの機能を損なわない状態で、表示部が形成できる。
また、ミシン目を、アンテナを避けて形成すれば、アンテナの機能を損なわない状態で、表示部が形成できる。
本発明の第２の発明に係る情報記録担体の作成方法は、ＩＣチップおよびアンテナが備えられたＲＦＩＤインレットを内蔵した記録担体本体に、上紙から裏紙に達するまで穿設したカット部、および前記アンテナの太さ方向の一部、または全部を残すべく前記カット部に連続して設けられた非カット部により形成されたミシン目によって表示部を区画・形成し、アンテナを介してＲＦＩＤインレットのＩＣチップに所望情報を書き込むとともに、表示部に所望情報を印字したのち、ミシン目に沿って表示部を切り離すので、記録担体本体の大きさに形成されたアンテナの送受信範囲が確保でき、さらに、ミシン目に沿って表示部を切り離すときのアンテナが太い場合、太さ方向の一部が残されているだけなので切り離し易く、しかも、切り離した表示部にはＩＣチップおよびアンテナを有するＲＦＩＤインレットが備えられているので、記録担体本体より小形でありながら商品管理が可能な表示部が容易に作成できるという効果がある。
【発明を実施するための最良の形態】
【０００６】
以下、本発明の一実施の形態による情報記録担体を図１および図２に基づき説明する。
なお、以下において、背景技術（従来）と共通する部分については同一符号を以て示すこととし、重複する説明は省略する。
図１は、情報記録担体の平面図であり、図２は、図１中、ＩＩ部分の拡大概略図である。
同図に示すように、「情報記録担体」としてのＲＦＩＤラベル連続体１は、「記録担体本体」としてのラベル本体３が「裏紙」としての台紙２にほぼ等間隔に区画・形成された長尺状を呈する。各ラベル本体３には、ＩＣチップ４およびアンテナ５を備えたＲＦＩＤインレット６が内蔵されており、このＲＦＩＤインレット６は、上紙７と前記台紙２との間に挟んで粘着剤８により貼り合せて構成されるとともに、ラベル本体３は台紙２より剥離自在となるよう粘着剤８を介して仮着されている。
ラベル本体３には、上紙７の表面側より台紙２の前記粘着剤８側の面に達するまで、ＲＦＩＤインレット６部分も含みミシン目１１が穿設されており、このミシン目１１の囲繞により表示部１２がラベル本体３より小さいサイズ（大きさ）に区画・形成されている。なお、本実施の形態では、ＩＣチップ４はラベル本体３の幅方向Ｗのほぼ中央部位に配設されている。  
主に、図２に示すように、ミシン目１１は、カット部１１ａと非カット部１１ｂとにより形成されており、ＲＦＩＤインレット６に設けられたアンテナ５は、太さ方向Ｔにおける中央部位の一部を残した状態で（太さ方向Ｔの）両端部にカット部１１ａによりスリットが形成されている。なお、アンテナ５が細い場合は、アンテナ５を避けてミシン目１１を施すことができる。
【０００７】
次に、ＲＦＩＤラベル連続体１の使用例を説明する。
図示省略のプリンタ（例えば、特許文献２のプリンタ）にて、ＲＦＩＤラベル連続体１のＲＦＩＤインレット６のＩＣチップ４に、アンテナ５を介してプリンタの図示省略のＲＦＩＤリーダライタのアンテナより所望の情報を書き込むとともに、図示省略の印字部にて表示部１２に所望の印字を施す。ＲＦＩＤリーダライタ（図示省略）の配設位置は、ＲＦＩＤラベル連続体１の幅Ｗ方向の中央部位に固定されている。
【０００８】
次いで、印字・発行されたラベル本体３より、表示部１２を切り離す。すなわち、上紙７より台紙２に達するまで穿設されたミシン目１１により区画・形成されている表示部１２をミシン目１１に沿い、ＲＦＩＤインレット６のアンテナ５を折って切り離し、粘着剤８を介して台紙２と仮着状態にある表示部１２を剥離するものであり、台紙２より剥離した表示部１２は図示省略の商品に粘着剤８を介し貼付して表示する。
【０００９】
上述したように、「記録担体本体」としてのラベル本体３には、ミシン目１１により表示部１２が区画・形成されており、かつ、ＲＦＩＤインレット６に設けられたアンテナ５は太さ方向Ｔの中央部位をミシン目１１の非カット部１１ｂとして一部残し、太さ方向Ｔの両端部をカット部１１ａによるスリット状態としてあり、ＲＦＩＤラベル連続体１として図示省略のプリンタ（例えば、特許文献２のプリンタ）に装着して印字部（図示省略）による印字、およびＲＦＩＤリーダライタのアンテナ（図示省略）により所望の情報を書き込む際にはアンテナ５は非カット部１１ｂにより一体的に形成されているため、ラベル本体３の大きさに形成されたアンテナの送受信範囲が確保でき、さらに、ミシン目１１に沿って表示部１２を切り離すときは、太さ方向Ｔの中央部位に非カット部１１ｂが一部残されているだけなので、アンテナ５を折り易く、かつ、ミシン目１１のカット部１１ａが穿設されたＲＦＩＤインレット６も切り離せるため、「小形のラベル」としての表示部１２が容易に作成できる。
【００１０】
次に、主に、図３および図４を用いて他の実施の形態につき説明する。
なお、以下において、先の実施の形態と同様の部分は同一符号を付すに止め、詳説は省略する。
先の実施の形態がＲＦＩＤラベル連続体１であったのに対し、この実施の形態では、「情報記録担体」をＲＦＩＤタグ連続体２０とした例で説明する。
ＲＦＩＤタグ連続体２０は、「記録担体本体」としてのＲＦＩＤタグ本体（以下、適宜、単に、「タグ本体」と称する）２１が長尺状に連接されており、隣接するタグ本体２１、２１同士はミシン目２２により区画・形成されている。
各タグ本体２１には、ＩＣチップ４およびアンテナ５を備えたＲＦＩＤインレット６が内蔵されており、このＲＦＩＤインレット６は、厚手の上紙２３と裏紙２４の間に挟んで粘着剤８により貼り合せて構成してある。
タグ本体２１には、上紙２３および裏紙２４の裏面に達するまで、ＲＦＩＤインレット６部分も含みミシン目２６が穿設されており、このミシン目２６の囲繞により表示部２５がタグ本体２１より小さいサイズ（大きさ）に区画・形成されている。なお、本実施の形態では、ＩＣチップ４はタグ本体２１の幅方向Ｗのほぼ中央部位に配設されているが、ミシン目２６により区画された表示部２５は、中央部位より若干ずれた位置に形成されており、従ってＩＣチップ４は表示部２５の幅方向Ｗにおける左側（図３における左側）にずれた位置に形成される。また、ＲＦＩＤインレット６のアンテナ５は、太さ方向Ｔにおける一部を残した状態でミシン目２６によるスリットが形成されている。
図示省略のプリンタにて、ＲＦＩＤインレット６のＩＣチップ４に所望の情報を書き込むとともに、表示部２５の上紙２３に所望の印字を施されたＲＦＩＤタグ連続体２０よりミシン目２２にて１葉のタグ本体２１を切り離し、さらに、ミシン目２６に沿ってＲＦＩＤインレット６のアンテナ５を折りながら表示部２５を切り離すと、「小形のタグ」としての表示部２５が得られるものであり、表示部２５は必要に応じて孔をあけ糸などの取り付け手段を介して商品に表示する。
作成された「小形のタグ」としての表示部２５は、ＩＣチップ４およびアンテナ５を備えたＲＦＩＤインレット６が内蔵されているので、例えば、特許文献１のように、タグリーダライタによる読み取りが可能である。
その他の構成、作用、効果については、先の実施の形態とほぼ同様につき詳説を省略する。
【００１１】
なお、上記実施の形態の構成及び動作は例であって、本発明の趣旨を逸脱しない範囲で適宜変更することができることは言うまでもない。
【００１２】
例えば、「情報記録担体」としてのＲＦＩＤタグ連続体２０は、ミシン目２２が形成され、このミシン目２２を介してＲＦＩＤタグ本体２１、２１同士が隣接される例で説明したがこれに限定されないことはもちろんであり、ミシン目２２がないものでも構わない。ミシン目２２のない「情報記録担体」の場合は、プリンタ（図示省略）に、例えば外付けのカッター装置を付設して切断することにより１葉の「記録担体本体」としてのＲＦＩＤタグ本体２１が得られるものである。
【図面の簡単な説明】
【００１３】
【図１】本発明に係る情報記録担体としてのＲＦＩＤラベル連続体の一実施の形態を示す平面説明図である。
【図２】同、図１中、ＩＩ部分の拡大概略図である。
【図３】同、他の実施の形態の情報記録担体としてのＲＦＩＤタグ連続体を示す図１相当の平面説明図である。
【図４】同、図３中、矢示ＩＩＩ方向より見た概略側面説明図である。
【図５】従来の情報記録担体を示す平面説明図である。
【図６】同、矢示ＶＩ方向より見た概略側面説明図である。
【符号の説明】
【００１４】
Ｔ    アンテナ５の太さ方向
Ｗ    情報記録担体の幅方向
１    ＲＦＩＤラベル連続体（第１の実施の形態の「情報記録担体」）
２    台紙
３    ラベル本体（記録担体本体）
４    ＩＣチップ
５    アンテナ
６    ＲＦＩＤインレット
７    上紙
８    粘着剤
１１  ミシン目
１１ａ  カット部
１１ｂ  非カット部
１２  表示部
２０  ＲＦＩＤタグ連続体（第２の実施の形態の「情報記録担体」）
２１  ＲＦＩＤタグ本体（記録担体本体）
２２  ミシン目
２３  上紙
２４  裏紙
２５  表示部
２６  ミシン目
５０  ＲＦＩＤラベル連続体（従来の「情報記録担体」）
【図１】
2008003154.tif 000003
【図２】
2008003154.tif 000004
【図３】
2008003154.tif 000005
【図４】
2008003154.tif 000006
【図５】
2008003154.tif 000007
【図６】
2008003154.tif 000008